(57)【要約】      （修正有）【課題】断面Ｕ字形状のケーブルクランプにおいて、より高強度なケーブルクランプを提供すること。【解決手段】ジャック部を有する電子機器に備えられるものであって、前記ジャック部に接続されるプラグ部を有するケーブル３ａを保持することが可能な、固定部４およびクランプ部６と、固定部４およびクランプ部６を連結する湾曲部５からなる略Ｕ字形状のケーブルクランプ２である。湾曲部５は屈曲部５ａと非屈曲部を有する。クランプ部６は、固定部４から離間方向に屈曲部５ａが弾性変形することによりケーブルの挿入および抜去を可能とする。湾曲部５は、略Ｕ字形状の接線方向に伸びた第１の突き当て８と、第１の突き当て８とは反対方向かつ中心軸が略一致かつ湾曲部５より突出した第２の突き当て９を有することを特徴とする。【選択図】図３
2017118613.tif 000002
【特許請求の範囲】
【請求項１】
ジャック部を有する電子機器に備えられるものであって、前記ジャック部に接続されるプラグ部を有するケーブルを保持することが可能なケーブルクランプにおいて、
固定部およびクランプ部と、前記固定部および前記クランプ部を連結する湾曲部からなるＵ字形状のケーブルクランプであって、
前記湾曲部は屈曲部と非屈曲部を有し、前記クランプ部は前記固定部から離間方向に前記屈曲部が弾性変形することによりケーブルの挿入および抜去を可能とし、
前記湾曲部はＵ字形状の接線方向に伸びた第１の突き当てと、
前記第１の突き当てとは反対方向かつ中心軸が一致かつ前記湾曲部より突出した第２の突き当てを有することを特徴とするケーブルクランプ。
【請求項２】
前記第１、第２の突き当ては前記非屈曲部に配されていることを特徴とする請求項１に記載のケーブルクランプ。
【請求項３】
前記ケーブルクランプは曲率が異なる複数のケーブル保持溝を有することを特徴とする請求項１又は請求項２に記載のケーブルクランプ。
【請求項４】
前記固定部はビス留め部に対して対称の位置に位置決め部を有することを特徴とする請求項１乃至請求項３の何れか一項に記載のケーブルクランプ。
【発明の詳細な説明】
【技術分野】
【０００１】
本発明は、ケーブルを保持するためのケーブルクランプに関する。
【背景技術】
【０００２】
従来より知られているケーブルクランプは、特許文献１に記載されているように、支持基板とケーブル保持板によって断面Ｕ字形状のケーブル保持溝を形成している。そしてバネ鋼を用い、ケーブル保持板から支持基板側へ付勢力を与えることで、ケーブルの保持性が高められる。
【先行技術文献】
【特許文献】
【０００３】
【特許文献１】特開２０１３−４２６０１号公報
【発明の概要】
【発明が解決しようとする課題】
【０００４】
しかしながら、従来のケーブルクランプは、ケーブル保持溝を断面Ｕ字状に形成し、バネ鋼で付勢しただけの構造のため、保持溝が開く方向に対して、ある程度開いた後には、変形や破損が起こるといった強度面での問題があった。また、外部からの衝撃に対しても弱く、同じく変形や破損が起こりやすい構造であった。よって、より高強度なケーブルクランプの提供が求められているのが実情である。
【０００５】
本発明は、上記のような従来技術の問題点を解決するために提案されたものであり、従来技術に対して簡単な構造で、より高強度なケーブルクランプを提供することを目的とする。
【課題を解決するための手段】
【０００６】
上記の目的を達成するために、本発明に係るケーブルクランプは、
ジャック部を有する電子機器に備えられるものであって、前記ジャック部に接続されるプラグ部を有するケーブルを保持することが可能なケーブルクランプにおいて、
固定部およびクランプ部と、前記固定部および前記クランプ部を連結する湾曲部からなる略Ｕ字形状のケーブルクランプであって、
前記湾曲部は屈曲部と非屈曲部を有し、前記クランプ部は前記固定部から離間方向に前記屈曲部が弾性変形することによりケーブルの挿入および抜去を可能とし、
前記湾曲部は略Ｕ字形状の接線方向に伸びた第１の突き当てと、
前記第１の突き当てとは反対方向かつ中心軸が略一致かつ前記湾曲部より突出した第２の突き当てを有することを特徴とする。
【発明の効果】
【０００７】
本発明によれば、断面Ｕ字形状のケーブルクランプにおいて、より高強度なケーブルクランプを提供することができる。
【図面の簡単な説明】
【０００８】
【図１】本発明の実施形態に係る撮像装置の外観例を示す斜視図
【図２ａ】ケーブルクランプの構成を説明するための斜視図
【図２ｂ】ケーブルクランプの構成を説明するための斜視図
【図３】ケーブルクランプにケーブルが挿入された状態を示した側面図
【図４】ケーブルクランプにおける第１の突き当てと第２の突き当ての配置を説明するための斜視図
【図５】ケーブルクランプに複数のケーブルが挿入された状態を示した側面図
【図６】ケーブルクランプの固定部におけるビス留め部と位置決め部の配置を説明するための斜視図
【発明を実施するための形態】
【０００９】
以下、図を参照して本発明を実施するための最良の形態を説明する。
【００１０】
（撮像装置外観の説明）
図１は本発明の実施形態に係る撮像装置１の外観例を示す斜視図である。
【００１１】
図１に示した通り、撮像装置１はケーブルクランプ２を備え、ケーブルクランプ２は撮像装置１に接続されたプラグ３のケーブル３ａを保持している。
【００１２】
（ケーブルクランプの構成の説明）
図２ａ、図２ｂは、ケーブルクランプ２の構成を説明するために示した斜視図である。
【００１３】
ケーブルクランプ２は固定部４およびクランプ部６と、固定部４およびクランプ部６を連結する湾曲部５により構成され、概して断面がＵ字形状のケーブルクランプである。また、湾曲部５は屈曲部５ａと非屈曲部５ｂにより構成されている。
【００１４】
（本発明に関わるケーブルクランプの湾曲部における突き当ての説明）
図３は撮像装置１に取り付けられたケーブルクランプ２にケーブル３ａが挿入された状態を図示したものである。
【００１５】
ケーブルクランプ２は弾性変形容易なＰＯＭや６６ナイロンのような材料で成形される部品であり、クランプ部６は固定部４から離間方向に湾曲部５における屈曲部５ａが弾性変形することによりケーブル３ａの挿入および抜去を可能とし、クランプ部６が固定部側へ付勢されることでケーブル３ａをケーブル保持溝７ａにおいて保持する構造となっている。ここで、クランプ部６がある一定以上の荷重で固定部４から離間方向へ変形した場合、屈曲部５ａが弾性域を超え、塑性変形を起こし、その後破損してしまうといった可能性もある。よって本発明に関わるケーブルクランプ２は、図３に示した通り、湾曲部５に略Ｕ字形状の接線方向に伸びた第１の突き当て８を有することで、屈曲部５ａが過剰に変形した場合に、第１の突き当て８が撮像装置外装に突き当たることで屈曲部５ａが塑性変形や破損を引き起こすことを防止する構造となっている。
【００１６】
また、図３に示した通り、湾曲部５は第１の突き当て８とは反対方向かつ中心軸が略一致かつ湾曲部５の屈曲部５ａより突出した第２の突き当て９を有する。これにより外部からの衝撃は屈曲部５ａに伝わる前に第２の突き当て９に加わるため、屈曲部５ａの破損を防止することができる。
【００１７】
（第１の突き当てと第２の突き当ての配置の説明）
図４に、第１の突き当て８と第２の突き当て９の配置を説明するためのケーブルクランプ２の斜視図を示す。
【００１８】
図４において、図２ａで説明した通り、２はケーブルクランプ、４は固定部、６はクランプ部、５は湾曲部であり、湾曲部５における５ａは屈曲部、５ｂは非屈曲部である。また、８は第１の突き当て、９は第２の突き当てである。ここで、図４にて示した通り、第１の突き当て８と第２の突き当て９は、非屈曲部５ｂに配されている。これにより、湾曲部５の屈曲性を損なうことなく、効果的にケーブルクランプ２を高強度化することができる。
【００１９】
（ケーブルクランプにおけるケーブル保持溝の説明）
図５は撮像装置１に取り付けられたケーブルクランプ２に、太さの異なる複数のケーブル３ａ、３ｂが挿入された状態を図示したものである。
【００２０】
ここで、本発明に関わるケーブルクランプ２は曲率の異なる複数のケーブル保持溝７ａ、７ｂを有する。これにより、太さの異なるケーブル３ａ、３ｂをケーブル保持溝７ａ、７ｂに置いて保持可能な構成となっている。
【００２１】
（ケーブルクランプの固定部におけるビス留め部と位置決め部の配置の説明）
図６に、ケーブルクランプの固定部におけるビス留め部と位置決め部の配置を表したケーブルクランプの斜視図を示す。
【００２２】
ここで、４は固定部、１０はビス留め部、１１は位置決め部、１２は固定ビスである。ケーブルクランプ２が有する位置決め部１１が不図示の撮像装置１に備えられる位置決め穴に挿入され、固定ビス１２により撮像装置１に固定されることで、撮像装置１に対する位置が規制される。ここで固定部４は、ビス留め部１０に対して対称の位置に位置決め部１１を有する。これにより、ケーブルクランプ２を１８０°回転させた状態でも撮像装置１に固定可能となり、ユーザーに対する利便性を向上させることができる。
【００２３】
以上、本発明をその好適な実施形態に基づいて詳述してきたが、本実施例の効果は、断面Ｕ字形状のケーブルクランプにおいて、より高強度なケーブルクランプを提供することができる。
【符号の説明】
【００２４】
１  撮像装置、２  ケーブルクランプ、３  プラグ、３ａ  ケーブル、３ｂ  ケーブル、
４  固定部、５  湾曲部、５ａ  屈曲部、５ｂ  非屈曲部、６  クランプ部、
７ａ  ケーブル保持溝、７ｂ  ケーブル保持溝、８  第１の突き当て、
９  第２の突き当て、１０  ビス留め部、１１  位置決め部、１２  固定ビス
【図１】
2017118613.tif 000003
【図２ａ】
2017118613.tif 000004
【図２ｂ】
2017118613.tif 000005
【図３】
2017118613.tif 000006
【図４】
2017118613.tif 000007
【図５】
2017118613.tif 000008
【図６】
2017118613.tif 000009